(57)【要約】【課題】適正な画質調整条件の設定を短時間で行う。【解決手段】記録媒体Ｓに対して画像を記録する画像記録動作を行う画像記録動作部を備えるインクジェット記録装置である。画像記録動作部により記録される画像の面積に関する面積データｄ２及び画像を視認する距離に関する視認距離データｄ３を入力する情報入力装置５を備える。入力された面積データｄ２及び視認距離データｄ３に基づいて、画像記録動作部により記録される画像の画質を設定する画質設定手段（例えば、ＣＰＵ８）を備える。設定された画像の画質に基づいて、当該画質の調整に係る画質調整条件を設定する画質調整条件設定手段（例えば、ＣＰＵ８）を備える。設定された画質調整条件に基づいて、画像記録動作部による画像記録動作を制御する動作制御手段（例えば、ＣＰＵ８）を備える。【選択図】図１
2005119131.tif 000002
【特許請求の範囲】
【請求項１】
記録媒体に対して画像を記録する画像記録動作を行う画像記録動作部を備えるインクジェット記録装置であって、
前記画像記録動作部により記録される前記画像の面積に関する面積情報及び前記画像を視認する距離に関する視認距離情報を入力する情報入力手段と、
前記情報入力手段により入力された前記面積情報及び前記視認距離情報に基づいて、前記画像記録動作部により記録される前記画像の画質を設定する画質設定手段と、
前記画質設定手段により設定された前記画像の画質に基づいて、当該画質の調整に係る画質調整条件を設定する画質調整条件設定手段と、
前記画質調整条件設定手段により設定された前記画質調整条件に基づいて、前記画像記録動作部による前記画像記録動作を制御する動作制御手段と、
を備えることを特徴とするインクジェット記録装置。
【請求項２】
前記画像の面積及び前記画像の視認距離と、前記画像の画質とが対応付けられた画質設定テーブルを記憶する画質設定テーブル記憶手段を備え、
前記画質設定手段は、前記情報入力手段により入力された前記面積情報及び前記視認距離情報に基づいて、前記画質設定テーブル記憶手段に記憶された前記画質設定テーブルから前記画像の画質を取得して設定することを特徴とする請求項１に記載のインクジェット記録装置。
【請求項３】
前記画像記録動作部は、前記記録媒体に対してインクを吐出する記録ヘッドを備え、
前記画質調整条件設定手段は、前記画質調整条件として、前記記録ヘッドからの前記記録媒体における単位面積当たりのインク吐出量を設定し、
前記動作制御手段は、前記画質調整条件設定手段により設定された前記インク吐出量に基づいて、前記画像記録動作としての前記記録ヘッドによるインク吐出動作を制御する吐出動作制御手段を備えることを特徴とする請求項１又は２に記載のインクジェット記録装置。
【請求項４】
前記画像の画質と前記インク吐出量とが対応付けられた吐出量設定テーブルを記憶する吐出量設定テーブル記憶手段を備え、
前記画質調整条件設定手段は、前記吐出量設定テーブル記憶手段に記憶されている前記吐出量設定テーブルに基づいて、前記画質設定手段により設定された前記画像の画質に対応する前記インク吐出量を取得して設定することを特徴とする請求項３に記載のインクジェット記録装置。
【請求項５】
前記インクは、紫外線硬化型インクであり、
前記画像記録動作部は、前記記録ヘッドから吐出され前記記録媒体上に着弾したインクに紫外線を照射する紫外線照射手段を備え、
前記画質調整条件設定手段は、前記画質調整条件として、前記記録媒体上に着弾したインクにおける前記紫外線照射手段から照射される紫外線の露光量を設定し、
前記動作制御手段は、前記画質調整条件設定手段により設定された前記露光量に基づいて、前記画像記録動作としての前記紫外線照射手段による紫外線の照射動作を制御する照射動作制御手段を備えることを特徴とする請求項３又は４に記載のインクジェット記録装置。
【請求項６】
前記画像の画質と前記露光量とが対応付けられた露光量設定テーブルを記憶する露光量設定テーブル記憶手段を備え、
前記画質調整条件設定手段は、前記露光量設定テーブル記憶手段に記憶されている前記露光量設定テーブルに基づいて、前記画質設定手段により設定された前記画像の画質に対応する前記露光量を取得して設定することを特徴とする請求項５に記載のインクジェット記録装置。
【請求項７】
前記画像記録動作部は、前記記録媒体を搬送する搬送部を備え、
前記画質調整条件設定手段は、前記画質調整条件として、前記搬送部による前記記録媒体の搬送速度を設定し、
前記動作制御手段は、前記画質調整条件設定手段により設定された前記搬送速度に基づいて、前記画像記録動作としての前記搬送部による搬送動作を制御する搬送動作制御手段を備えることを特徴とする請求項１〜６の何れか一項に記載のインクジェット記録装置。
【請求項８】
前記画像の画質と前記搬送速度とが対応付けられた搬送速度設定テーブルを記憶する搬送速度設定テーブル記憶手段を備え、
前記画質調整条件設定手段は、前記搬送速度設定テーブル記憶手段に記憶されている前記搬送速度設定テーブルに基づいて、前記画質設定手段により設定された前記画像の画質に対応する前記搬送速度を取得して設定することを特徴とする請求項７に記載のインクジェット記録装置。
【請求項９】
前記情報入力手段は、前記面積情報及び前記視認距離情報を送信する情報送信手段を備え、
前記情報送信手段により送信された前記面積情報及び前記視認距離情報を受信する受信手段と、
前記受信手段により受信された前記面積情報及び前記視認距離情報を読み取る情報読取手段と、を備え、
前記画質設定手段は、前記情報読取手段により読み取られた前記面積情報及び前記視認距離情報に基づいて、前記画像の画質を設定することを特徴とする請求項１〜８の何れか一項に記載のインクジェット記録装置。
【請求項１０】
前記記録媒体の前記画像記録動作部による前記画像の記録に関連する媒体関連情報を入力する媒体関連情報入力手段を備え、
前記画質調整条件設定手段は、前記媒体関連情報入力手段により入力された前記媒体関連情報に基づいて、前記画質調整条件を設定することを特徴とする請求項１〜９の何れか一項に記載のインクジェット記録装置。
【請求項１１】
前記媒体関連情報は、前記記録媒体の物性に係る媒体物性情報であることを特徴とする請求項１０に記載のインクジェット記録装置。
【発明の詳細な説明】
【技術分野】
【０００１】
本発明は、インクジェット記録装置に関する。
【背景技術】
【０００２】
従来より、記録媒体にインクを吐出して、着弾したインク滴に紫外線を照射して画像を記録するインクジェット記録装置が知られている（例えば、特許文献１参照。）。
このインクジェット記録装置により出力された画像記録物を視覚により認識可能な視認可能距離は、使用される環境に応じて異なり、例えば、屋内の場合には近距離となり、屋外の場合には遠距離となる。
【０００３】
ところで、所定の画質の画像記録物を得る場合、操作者は、想定される視認距離と画像面積とに基づいて、インクジェット記録装置の画像記録の際における単位面積当たりのインク吐出量、紫外線の露光量及び記録媒体の搬送量等の各種の画質調整に係る条件を、当該操作者の過去の経験と感性から推測して設定するようになっている。
【特許文献１】特開昭６０−１３２７６７号公報
【発明の開示】
【発明が解決しようとする課題】
【０００４】
ところで、上記のように、画質調整に係る条件を操作者による経験や感性に基づいて設定すると、画像記録物の画質と生産性にバラツキが生じてしまうといった問題がある。また、画像記録物の生産性を向上させる上で、画像記録速度を速くしたいにも関わらず、本画像の出力の前に、設定した画質の確認のためのインク吐出や紫外線の露光等を行う必要があるため、画像記録物の出力に時間がかかってしまうといった問題もある。
【０００５】
本発明の課題は、適正な画質調整条件の設定を短時間で行うことができるインクジェット記録装置を提供することである。
【課題を解決するための手段】
【０００６】
請求項１に記載の発明は、記録媒体に対して画像を記録する画像記録動作を行う画像記録動作部を備えるインクジェット記録装置であって、
前記画像記録動作部により記録される前記画像の面積に関する面積情報及び前記画像を視認する距離に関する視認距離情報を入力する情報入力手段と、
前記情報入力手段により入力された前記面積情報及び前記視認距離情報に基づいて、前記画像記録動作部により記録される前記画像の画質を設定する画質設定手段と、
前記画質設定手段により設定された前記画像の画質に基づいて、当該画質の調整に係る画質調整条件を設定する画質調整条件設定手段と、
前記画質調整条件設定手段により設定された前記画質調整条件に基づいて、前記画像記録動作部による前記画像記録動作を制御する動作制御手段と、
を備えることを特徴としている。
【０００７】
請求項１に記載の発明によれば、入力された画像の面積に関する面積情報及び画像を視認する距離に関する視認距離情報に基づいて、画像記録動作部により記録される画像の画質を設定することができ、設定された画像の画質に基づいて、当該画質の調整に係る画質調整条件を設定することができる。即ち、所定の画像を得る場合に、視認距離と画像の面積とに基づいて、適正な画質調整条件の設定を短時間で行うことができる。これにより、設定された画質調整条件に基づいて画像記録動作を適正に行うことができる。
【０００８】
請求項２に記載の発明は、請求項１に記載のインクジェット記録装置において、
前記画像の面積及び前記画像の視認距離と、前記画像の画質とが対応付けられた画質設定テーブルを記憶する画質設定テーブル記憶手段を備え、
前記画質設定手段は、前記情報入力手段により入力された前記面積情報及び前記視認距離情報に基づいて、前記画質設定テーブル記憶手段に記憶された前記画質設定テーブルから前記画像の画質を取得して設定することを特徴としている。
【０００９】
請求項２に記載の発明によれば、請求項１に記載の発明と同様の効果が得られるのは無論のこと、特に、入力された面積情報及び視認距離情報に基づいて、画像の面積及び画像の視認距離と画像の画質とが対応付けられた画質設定テーブルから画像の画質を取得して設定するので、画像の画質の設定を画質設定テーブルを利用して適正に行うことができる。
【００１０】
請求項３に記載の発明は、請求項１又は２に記載のインクジェット記録装置において、
前記画像記録動作部は、前記記録媒体に対してインクを吐出する記録ヘッドを備え、
前記画質調整条件設定手段は、前記画質調整条件として、前記記録ヘッドからの前記記録媒体における単位面積当たりのインク吐出量を設定し、
前記動作制御手段は、前記画質調整条件設定手段により設定された前記インク吐出量に基づいて、前記画像記録動作としての前記記録ヘッドによるインク吐出動作を制御する吐出動作制御手段を備えることを特徴としている。
【００１１】
請求項３に記載の発明によれば、請求項１又は２に記載の発明と同様の効果が得られるのは無論のこと、特に、画質調整条件としての、記録ヘッドからの記録媒体における単位面積当たりのインク吐出量の設定を短時間で行うことができ、設定されたインク吐出量に基づいて、画像記録動作としての記録ヘッドによるインク吐出動作を適正に制御することができる。
【００１２】
請求項４に記載の発明は、請求項３に記載のインクジェット記録装置において、
前記画像の画質と前記インク吐出量とが対応付けられた吐出量設定テーブルを記憶する吐出量設定テーブル記憶手段を備え、
前記画質調整条件設定手段は、前記吐出量設定テーブル記憶手段に記憶されている前記吐出量設定テーブルに基づいて、前記画質設定手段により設定された前記画像の画質に対応する前記インク吐出量を取得して設定することを特徴としている。
【００１３】
請求項４に記載の発明によれば、請求項３に記載の発明と同様の効果が得られるのは無論のこと、特に、画像の画質とインク吐出量とが対応付けられた吐出量設定テーブルに基づいて、画像の画質に対応するインク吐出量を取得して設定するので、インク吐出量の設定を吐出量設定テーブルを利用して適正に行うことができる。
【００１４】
請求項５に記載の発明は、請求項３又は４に記載のインクジェット記録装置において、
前記インクは、紫外線硬化型インクであり、
前記画像記録動作部は、前記記録ヘッドから吐出され前記記録媒体上に着弾したインクに紫外線を照射する紫外線照射手段を備え、
前記画質調整条件設定手段は、前記画質調整条件として、前記記録媒体上に着弾したインクにおける前記紫外線照射手段から照射される紫外線の露光量を設定し、
前記動作制御手段は、前記画質調整条件設定手段により設定された前記露光量に基づいて、前記画像記録動作としての前記紫外線照射手段による紫外線の照射動作を制御する照射動作制御手段を備えることを特徴としている。
【００１５】
請求項５に記載の発明によれば、請求項３又は４に記載の発明と同様の効果が得られるのは無論のこと、特に、画質調整条件としての、記録媒体上に着弾したインクにおける紫外線照射手段から照射される紫外線の露光量の設定を短時間で行うことができ、設定された露光量に基づいて、画像記録動作としての紫外線照射手段による紫外線の照射動作を適正に制御することができる。
【００１６】
請求項６に記載の発明は、請求項５に記載のインクジェット記録装置において、
前記画像の画質と前記露光量とが対応付けられた露光量設定テーブルを記憶する露光量設定テーブル記憶手段を備え、
前記画質調整条件設定手段は、前記露光量設定テーブル記憶手段に記憶されている前記露光量設定テーブルに基づいて、前記画質設定手段により設定された前記画像の画質に対応する前記露光量を取得して設定することを特徴としている。
【００１７】
請求項６に記載の発明によれば、請求項５に記載の発明と同様の効果が得られるのは無論のこと、特に、画像の画質と露光量とが対応付けられた露光量設定テーブルに基づいて、画像の画質に対応する露光量を取得して設定するので、紫外線の露光量の設定を露光量設定テーブルを利用して適正に行うことができる。
【００１８】
請求項７に記載の発明は、請求項１〜６の何れか一項に記載のインクジェット記録装置において、
前記画像記録動作部は、前記記録媒体を搬送する搬送部を備え、
前記画質調整条件設定手段は、前記画質調整条件として、前記搬送部による前記記録媒体の搬送速度を設定し、
前記動作制御手段は、前記画質調整条件設定手段により設定された前記搬送速度に基づいて、前記画像記録動作としての前記搬送部による搬送動作を制御する搬送動作制御手段を備えることを特徴としている。
【００１９】
請求項７に記載の発明によれば、請求項１〜６に記載の発明と同様の効果が得られるのは無論のこと、特に、画質調整条件としての、搬送部による記録媒体の搬送速度の設定を短時間で行うことができ、設定された記録媒体の搬送速度に基づいて、画像記録動作としての搬送部による搬送動作を適正に制御することができる。
【００２０】
請求項８に記載の発明は、請求項７に記載のインクジェット記録装置において、
前記画像の画質と前記搬送速度とが対応付けられた搬送速度設定テーブルを記憶する搬送速度設定テーブル記憶手段を備え、
前記画質調整条件設定手段は、前記搬送速度設定テーブル記憶手段に記憶されている前記搬送速度設定テーブルに基づいて、前記画質設定手段により設定された前記画像の画質に対応する前記搬送速度を取得して設定することを特徴としている。
【００２１】
請求項８に記載の発明によれば、請求項７に記載の発明と同様の効果が得られるのは無論のこと、特に、画像の画質と搬送速度とが対応付けられた搬送速度設定テーブルに基づいて、画像の画質に対応する搬送速度を取得して設定するので、記録媒体の搬送速度の設定を搬送速度設定テーブルを利用して適正に行うことができる。
【００２２】
請求項９に記載の発明は、請求項１〜８の何れか一項に記載のインクジェット記録装置において、
前記情報入力手段は、前記面積情報及び前記視認距離情報を送信する情報送信手段を備え、
前記情報送信手段により送信された前記面積情報及び前記視認距離情報を受信する受信手段と、
前記受信手段により受信された前記面積情報及び前記視認距離情報を読み取る情報読取手段と、を備え、
前記画質設定手段は、前記情報読取手段により読み取られた前記面積情報及び前記視認距離情報に基づいて、前記画像の画質を設定することを特徴としている。
【００２３】
請求項９に記載の発明によれば、請求項１〜８に記載の発明と同様の効果が得られるのは無論のこと、特に、情報入力手段に備わる情報送信手段から送信された面積情報及び視認距離情報が受信手段により受信されるので、面積情報及び視認距離情報の入力を離れたところから無線で行うことができる。そして、面積情報及び視認距離情報が情報読取手段により読み取られ、読み取られた面積情報及び視認距離情報に基づいて、画質設定手段により画像の画質が設定されるので、画像の画質の設定作業をより簡便なものとすることができる。
【００２４】
請求項１０に記載の発明は、請求項１〜９の何れか一項に記載のインクジェット記録装置において、
前記記録媒体の前記画像記録動作部による前記画像の記録に関連する媒体関連情報を入力する媒体関連情報入力手段を備え、
前記画質調整条件設定手段は、前記媒体関連情報入力手段により入力された前記媒体関連情報に基づいて、前記画質調整条件を設定することを特徴としている。
【００２５】
請求項１０に記載の発明によれば、請求項１〜９に記載の発明と同様の効果が得られるのは無論のこと、特に、入力された媒体関連情報に基づいて、画質調整条件が設定されるので、記録媒体の画像記録動作部による画像の記録に関連する情報を考慮して画質調整条件を設定することができ、設定された画質調整条件に基づいて画像記録動作を適正に行うことができる。
【００２６】
請求項１１に記載の発明は、請求項１０に記載のインクジェット記録装置において、
前記媒体関連情報は、前記記録媒体の物性に係る媒体物性情報であることを特徴としている。
【００２７】
ここで、媒体物性情報としては、例えば、記録媒体の表面エネルギーが挙げられる。
【００２８】
請求項１１に記載の発明によれば、請求項１０に記載の発明と同様の効果が得られるのは無論のこと、特に、媒体関連情報は、記録媒体の物性に係る媒体物性情報であるので、記録媒体の物性を考慮して画質調整条件の設定を適正に行うことができる。
【発明の効果】
【００２９】
請求項１に記載の発明によれば、入力された画像の面積に関する面積情報及び画像を視認する距離に関する視認距離情報に基づいて、画像記録動作部により記録される画像の画質を設定することができ、設定された画像の画質に基づいて、当該画質の調整に係る画質調整条件を設定することができる。即ち、所定の画像を得る場合に、視認距離と画像の面積とに基づいて、適正な画質調整条件の設定を短時間で行うことができる。これにより、設定された画質調整条件に基づいて画像記録動作を適正に行うことができる。
【００３０】
請求項２に記載の発明によれば、画像の画質の設定を画質設定テーブルを利用して適正に行うことができる。
【００３１】
請求項３に記載の発明によれば、画質調整条件としての、記録ヘッドからの記録媒体における単位面積当たりのインク吐出量の設定を短時間で行うことができ、設定されたインク吐出量に基づいて、画像記録動作としての記録ヘッドによるインク吐出動作を適正に制御することができる。
【００３２】
請求項４に記載の発明によれば、インク吐出量の設定を吐出量設定テーブルを利用して適正に行うことができる。
【００３３】
請求項５に記載の発明によれば、画質調整条件としての、記録媒体上に着弾したインクにおける紫外線照射手段から照射される紫外線の露光量の設定を短時間で行うことができ、設定された露光量に基づいて、画像記録動作としての紫外線照射手段による紫外線の照射動作を適正に制御することができる。
【００３４】
請求項６に記載の発明によれば、紫外線の露光量の設定を露光量設定テーブルを利用して適正に行うことができる。
【００３５】
請求項７に記載の発明によれば、画質調整条件としての、搬送部による記録媒体の搬送速度の設定を短時間で行うことができ、設定された記録媒体の搬送速度に基づいて、画像記録動作としての搬送部による搬送動作を適正に制御することができる。
【００３６】
請求項８に記載の発明によれば、記録媒体の搬送速度の設定を搬送速度設定テーブルを利用して適正に行うことができる。
【００３７】
請求項９に記載の発明によれば、面積情報及び視認距離情報の入力を離れたところから無線で行うことができる。また、画像の画質の設定作業をより簡便なものとすることができる。
【００３８】
請求項１０に記載の発明によれば、記録媒体の画像記録動作部による画像の記録に関連する情報を考慮して画質調整条件を設定することができ、設定された画質調整条件に基づいて画像記録動作を適正に行うことができる。
【００３９】
請求項１１に記載の発明によれば、媒体関連情報は、記録媒体の物性に係る媒体物性情報であるので、記録媒体の物性を考慮して画質調整条件の設定を適正に行うことができる。
【発明を実施するための最良の形態】
【００４０】
以下に、本発明について、図面を用いて具体的な態様を説明する。ただし、発明の範囲は、図示例に限定されない。
ここで、図１は、本発明を適用した好適な一実施の形態として例示するインクジェット記録装置の概略構成を示す側面図であり、図２は、図１のインクジェット記録装置の概略構成を示す正面図である。なお、図２においては、後述するキャリッジ機構の図示を省略している。また、図３は、図１のインクジェット記録装置の制御系の要部構成を示す機能ブロック図である。また、図４は、図１のインクジェット記録装置に備わる情報入力装置の要部構成を示す機能ブロック図である。
【００４１】
図１〜図３に示すように、インクジェット記録装置１００は、シート状の記録媒体Ｓを搬送する搬送機構（搬送部）１と、搬送機構１により搬送される記録媒体Ｓに対して記録ヘッド２１１からインクを吐出して画像記録を行うキャリッジ機構２と、記録ヘッド２１１のインク吐出側に配置されるプラテン３と、上記各構成を支持する装置ケース４と、面積データｄ２及び視認距離データｄ３を入力する情報入力装置（情報入力手段）５と、ＲＡＭ６と、ＲＯＭ７と、ＣＰＵ８とを備えている。
なお、図１に示すように、プラテン３の上面は、平坦且つ水平に維持されており、記録媒体Ｓの搬送方向を副走査方向とし、副走査方向と直交する方向（記録媒体Ｓの幅方向）を主走査方向というものとする。
【００４２】
装置ケース４は、その上部にキャリッジ機構２を保持し、キャリッジ機構２以外の各構成を内蔵、或いは、その外部に保持する筐体である（図１及び図２では側壁板４１、４１のみ図示）。
また、装置ケース４の底部には、インクジェット記録装置１００を移動可能とするキャスター４２と、下方に延ばすことによりインクジェット記録装置１００の移動を規制するスタッド４３とが設けられている。
【００４３】
搬送機構１は、キャリッジ機構２に記録媒体Ｓを供給する二つの記録媒体供給部１１と、記録媒体供給部１１とキャリッジ機構２との間に設けられた上流側ローラ部１２と、キャリッジ機構２よりも記録媒体Ｓの搬送方向の下流側に設けられた下流側ローラ部１３と、下流側ローラ部１３よりも記録媒体Ｓの搬送方向の下流側に設けられ、キャリッジ機構２により画像記録された記録媒体Ｓを巻き取る記録媒体巻取部１４とを備えている。
【００４４】
ここで、記録媒体Ｓは、シート状であれば特に限定されるものではないが、浸透性を有しない素材にもその液滴が付着可能なカチオン重合性光硬化インクを使用することから、例えば、インクジェット記録装置１００に一般的に使用される記録紙の他、白色コート紙、ビニール系、ＰＰ、ＰＥＴ等の樹脂系シート、アルミ合金等の薄延金属、アルミ蒸着を施したバナー用メディア等の種々の記録媒体Ｓが適用可能である。
【００４５】
記録媒体供給部１１の各々は、フレーム部１１１に保持されており、紙管Ｒにロール状に巻かれた記録媒体Ｓを保持する記録媒体保持部１１２と、駆動シャフト１１３ａを介して記録媒体保持部１１２を所定方向に回転駆動させる駆動部１１３と、紙管Ｒの両端部にそれぞれ設けられたフランジ１１２ａを介して記録媒体保持部１１２を設置するためのシャフト１１４と、記録媒体保持部１１２から繰り出された記録媒体Ｓをキャリッジ２１側に案内する案内ローラ１１５とを備えている。
【００４６】
フレーム部１１１は、装置ケース４の内部下方において固定支持されており、装置ケース４の側壁板４１と平行に設けられ、案内ローラ１１５、シャフト１１４及び駆動シャフト１１３ａを回転自在に支持する左右両側の側板１１１ａ、１１１ａと、これらの側板１１１ａ、１１１ａを互いに平行且つ所定間隔で連結する三本の角ステーパイプ１１１ｂ、…とを備えている。
【００４７】
二つの側板１１１ａは、少なくともインクジェット記録装置１００で使用しうる最大幅の記録媒体Ｓよりも大きな間隔で配設されている。
また、側板１１１ａは、例えば略三角形状に形成され、その斜辺に相当する部位が二箇所において弧状に切り欠かれており、これら切り欠き１１１ｃの近傍に記録媒体保持部１１２がシャフト１１４及び駆動シャフト１１３ａを介して着脱自在に設置されている。
【００４８】
各記録媒体保持部１１２は、紙管Ｒの内部に、記録媒体Ｓの当該インクジェット記録装置１００による画像の記録に関連する媒体関連データｄ１を記憶するＩＣタグ１１６が設けられている。
ここで、媒体関連データｄ１としては、例えば、記録媒体Ｓの物性に係る表面エネルギー等の媒体物性データが挙げられる。
【００４９】
また、ＩＣタグ１１６は、情報入力装置５のＲＦＩＤライタ（後述）５２から面積データｄ２及び視認距離データｄ３が書き込まれ、これらデータを所定の記憶領域に記憶するようになっている。
【００５０】
また、フレーム部１１１の記録媒体保持部１１２よりもフランジ１１２ａの径方向外方となる部分には、ＩＣタグ１１６に対して所定間隔を空けるようにＲＦＩＤリーダ１１７が設けられている。
このＲＦＩＤリーダ１１７は、ＣＰＵ８の制御下にて実行される画像記録動作の所定のタイミングでＩＣタグ１１６に記憶されている各種の情報をＲＦＩＤ方式により読み取るようになっている。具体的には、ＲＦＩＤリーダ１１７は、情報読取手段として、情報入力装置５から送信されＩＣタグ１１１６に記憶された面積データｄ２及び視認距離データｄ３を読み取るとともに、媒体関連情報入力手段として、ＩＣタグ１１６に予め記憶されている媒体関連データｄ１を読み取るようになっている。
ここで、ＲＦＩＤ（Radio Frequency Identification）方式とは、リーダ／ライタを直接的に通さずに電磁誘導波により非接触型のＩＣタグ１１６からデータを読み取り又は書き込みする方式のことである。
【００５１】
各駆動部１１３は、ＣＰＵ８の制御下にて記録媒体Ｓを所定の単位送り量で繰り出すように周期的に回転駆動する駆動モータ１１３ｂと、駆動モータ１１３ａの出力軸に接続され、駆動モータ１１３ｂの駆動力を記録媒体保持部１１２に伝達する駆動シャフト１１３ａとを備えている。
駆動モータ１１３ｂは、記録ヘッド２１１からのインク吐出動作に対応させて記録媒体保持部１１２から記録媒体Ｓを繰り出すように、ＣＰＵ８からの制御信号に応じて所定の回転動作を行うようになっている。
駆動シャフト１１３ａは、その回転中心軸が紙管Ｒの回転中心軸と略平行となるように側板１１１ａ間に設けられている。また、駆動シャフト１１３ａの一端部（図２における右端部）近傍には、紙管Ｒの一端部側のフランジ１１２ａの外周に設けられた歯車と噛合する歯車１１３ｃが設けられている。一方、駆動シャフト１１３ａの他端部には、紙管Ｒの他端部側のフランジ１１２ａの外周に設けられた歯車と接触して、回転するフランジに従動する従動ローラ１１３ｄが設けられている。なお、従動ローラ１１３ｄは、種々の幅の記録媒体Ｓに対応させる上で、駆動シャフト１１３ａの他端部からその中間部を超える程度の範囲までの広い幅を有するように構成されている。
【００５２】
各シャフト１１４は、その全長に渡ってローラ状に形成されており、回転中心軸が駆動シャフト１１３ａ及び紙管Ｒの回転中心軸と略平行となるように側板１１１ａ間に設けられている。
各案内ローラ１１５は、側板１１１ａの切り欠き１１１ｃの上部にて、その回転中心線が駆動シャフト１１３ａ、紙管Ｒ及びシャフト１１４の回転中心軸と略平行となるように側板１１１ａ間に設けられている。
【００５３】
紙管Ｒ及び案内ローラ１１５の主走査方向の幅は、インクジェット記録装置１００で使用し得る最大の記録媒体Ｓの幅よりも大きく設定されている。
【００５４】
上流側ローラ部１２は、記録媒体供給部１１から供給された記録媒体Ｓをキャリッジ機構２側に搬送するための上流側送りローラ１２１と、プラテン３と略同じ高さに設けられ、記録媒体Ｓの搬送を円滑化する上流側補助搬送ローラ１２２とを備えている。
上流側送りローラ１２１は、その回転中心線が案内ローラ１１５の回転中心軸と略平行となるように、支軸１２１ａを介して側壁板４１間に回転自在に設けられている。
上流側補助搬送ローラ１２２は、その回転中心軸が上流側送りローラ１２１の回転中心軸と略平行となるように側壁板４１間に回転自在に設けられている。
これら上流側送りローラ１２１及び上流側補助搬送ローラ１２２の主走査方向の幅は、インクジェット記録装置１００で使用し得る最大の記録媒体Ｓの幅よりも大きく設定されている。
【００５５】
下流側ローラ部１３は、キャリッジ機構２により画像記録された記録媒体Ｓを記録媒体巻取部１４側に搬送するための下流側送りローラ１３１と、プラテン３と略同じ高さに設けられ、記録媒体Ｓの搬送を円滑化する下流側補助搬送ローラ１３２とを備えている。
下流側送りローラ１３１は、その回転中心線が上流側送りローラ１２１の回転中心軸と略平行となるように、支軸１３１ａを介して側壁板４１間に回転自在に設けられている。
下流側補助搬送ローラ１３２は、その回転中心軸が下流側送りローラ１３１の回転中心軸と略平行となるように側壁板４１間に回転自在に設けられている。
これら下流側送りローラ１３１及び下流側補助搬送ローラ１３２の主走査方向の幅は、インクジェット記録装置１００で使用し得る最大の記録媒体Ｓの幅よりも大きく設定されている。
【００５６】
記録媒体巻取部１４は、画像記録済の記録媒体Ｓをロール状に巻いて保持する記録媒体保持部１４１と、駆動シャフト１４２ａを介して記録媒体保持部１４１を所定方向に回転駆動させる駆動部１４２と、紙管Ｒの両端部にそれぞれ設けられたフランジ１１２ａを介して記録媒体保持部１４１を設置するためのシャフト１４３とを備えている
ここで、記録媒体保持部１４１は、上記した記録媒体供給部１１に備わる記録媒体保持部１１２と略等しい構成であるので、その説明を省略する。
【００５７】
駆動部１４２は、ＣＰＵ８の制御下にて回転駆動する駆動モータ１４２ｂと、駆動モータ１４２ｂの出力軸に接続され、駆動モータ１４２ｂの駆動力を記録媒体保持部１４１に伝達する駆動シャフト１４１ａとを備えている。
駆動シャフト１４２ａは、その回転中心軸が紙管Ｒの回転中心軸と略平行となるように装置ケース４の側壁板４１間に設けられている。また、駆動シャフト１４２ａの一端部側（図２における右端部側）には、紙管Ｒの一端部側のフランジ１１２ａの外周に設けられた歯車と噛合する歯車１４２ｃが設けられている。一方、駆動シャフト１４２ａの他端部には、紙管Ｒの他端部側のフランジ１１２ａの外周に設けられた歯車と接触して、回転するフランジに従動する従動ローラ１４２ｄが設けられている。なお、従動ローラ１４２ｄは、種々の幅の記録媒体Ｓに対応させる上で、駆動シャフト１４２ａの他端部からその中間部を超える程度の範囲までの広い幅を有するように構成されている。
【００５８】
シャフト１４３は、その全長に渡ってローラ状に形成されており、その回転中心軸が紙管Ｒの回転中心軸と略平行となるように、装置ケース４の側壁板４１間に回転自在に設けられている。
【００５９】
プラテン３は、上流側ローラ部１２の上流側補助搬送ローラ１２２と下流側ローラ部１３の下流側補助搬送ローラ１３２との間に設けられ、記録ヘッド２１１に対向する上面に沿わせて記録媒体Ｓが搬送される。
プラテン３の主走査方向の幅は、インクジェット記録装置１００で使用し得る最大の記録媒体Ｓの幅よりも大きく設定されている。また、プラテン３の上面は、記録ヘッド２１１のインク吐出方向に垂直であって平坦、且つ、水平となっている。さらに、このプラテン３の上面の主走査方向の幅は、キャリッジ２１の搬送範囲内であってインク吐出を行う領域よりも広く設定されており、当然のことながらインクジェット記録装置１００で使用し得る最大の記録媒体Ｓの幅よりも広く設定されている。
【００６０】
また、プラテン３の上面には、無数の吸引孔（図示略）が、最大サイズの記録媒体Ｓに対応する範囲で形成されている。これらの吸引孔は図示しない負圧源と連通されており、記録媒体Ｓの搬送時において各吸引孔が外気の吸引を行うことにより記録媒体Ｓがプラテン３の上面に密着し、画像形成時の記録媒体Ｓの画像形成面の平面状態を維持することとなる。
【００６１】
キャリッジ機構２は、プラテン３の上方において主走査方向に沿って往復移動を行うキャリッジ２１と、このキャリッジ２１を往復可能に支持するキャリッジレール２２と、キャリッジ２１をその往復移動方向に駆動するキャリッジ搬送機構２３とを備えている。
【００６２】
キャリッジ２１は、主走査方向に沿って並列して配置された複数の記録ヘッド２１１と、これら記録ヘッド２１１から記録媒体Ｓ上に吐出されたインクに対して紫外線を照射する紫外線光源（紫外線照射手段）２１２とが搭載されている（図３参照）。
上記各記録ヘッド２１１は、いずれも副走査方向に並んだ複数のインク吐出ノズル（図示略）を有し、インク吐出方向が垂直下方に向けられている。また、各記録ヘッド２１１のインク吐出ノズルは、キャリッジ２１上において、副走査方向にドット間隔ずつずらして配置されている。これに加えて、各記録ヘッド２１１が副走査方向にずらして配置されているので、キャリッジ２１の主走査方向への一回の移動により、複数のライン本数分（記録ヘッド２１１の個体数×各ヘッドのノズル数）の画像形成が行われる。
【００６３】
ここで、インクとしては、紫外線の被照射により硬化する紫外線硬化性のインクを適用可能である。
この紫外線硬化性インクとして、例えば、紫外線の被照射により発生したカチオンを成長活性種としてモノマーやオリゴマーが重合していくカチオン重合性紫外線硬化性インクが使用されても良い。カチオン重合性紫外線硬化性インクは、低照度の光源でも硬化するためにプリンタの小型化・低価格化を実現するために他の紫外線硬化性インクであるラジカル重合性インクに比較しても有利である。また、ラジカル重合性光硬化インクは、光の被照射により硬化することで収縮するという性質を有しており、記録媒体Ｓをも収縮させるという欠点を持ちあわせているが、カチオン重合性紫外線硬化性インクは、ラジカル重合性光硬化インクに比較しても低収縮性であり、収縮が起こりやすい記録媒体Ｓにも記録できるようになっている。
【００６４】
紫外線光源２１２は、例えば、主走査方向に沿って並列して配置されており、この紫外線光源２１としては、例えば、高圧水銀ランプ、メタルハライドランプ、熱陰極管並びに冷陰極管等を適用可能となっている。
【００６５】
キャリッジ搬送機構２３は、例えば図示は省略するが、ＣＰＵ８により駆動が制御される駆動モータとその回転駆動力を直動移動力に変換してキャリッジ２１に付与するボールネジ機構或いはベルト機構等により構成される。また、駆動源たる駆動モータをキャリッジ２１に搭載してギア列等によりキャリッジレール２２に沿って移動力をキャリッジ２１に付与する構成としても良い。
【００６６】
情報入力装置５は、例えば、ハンディターミナル等から構成されており、当該インクジェット記録装置１００により記録される画像の面積及び想定される画像の視認距離等をユーザによる操作に基づいて入力するための操作入力部（情報入力手段）５１と、操作入力部５１により入力された画像の面積に関する面積データｄ２及び視認距離に関する視認距離データｄ３をＲＦＩＤ方式によりＩＣタグ１１６に書き込むＲＦＩＤライタ５２と、これらを制御する制御部５３とを備えている（図４参照）。
制御部５３は、例えば、ＣＰＵ（Central Processing Unit）、ＲＡＭ（Random Access Memory）、ＲＯＭ（Read Only Memory）等を備えて構成されており、ＣＰＵが、ＲＯＭに記憶されている所定のプログラムを読み出してＲＡＭ内の作業領域に展開し、当該プログラムに従って当該情報入力装置５を統括的に制御する。具体的には、制御部５３は、ＩＣタグ１１６に対向配置された当該情報入力装置５のＲＦＩＤライタ５２を制御することにより、入力された面積データｄ２及び視認距離データｄ３をＩＣタグ１１６に書き込ませるようになっている。
【００６７】
ＲＡＭ６は、例えば、揮発性の半導体メモリであり、ＣＰＵ８が処理中のプログラムやデータ等の作業領域、各種データ等を一時的に格納する格納領域等を有している。
【００６８】
ＲＯＭ７は、読み出し専用のメモリであり、ＣＰＵ８により実行されるインクジェット記録装置１００としての各種の処理にかかるアプリケーションプログラムや、各種動作に使用するデータ等を記憶する。具体的には、ＲＯＭ７は、画質設定プログラム７ａと、画質調整条件設定プログラム７ｂと、吐出動作制御プログラム７ｃと、照射動作制御プログラム７ｄと、搬送動作制御プログラム７ｅ等を記憶している。
【００６９】
また、ＲＯＭ７は、画質設定テーブル記憶手段を構成しており、画像の面積及び画像の視認距離と画像の画質とが対応付けられた画質設定テーブルＴ１（図５参照）を記憶している。この画質設定テーブルＴ１は、例えば、画像の面積及び視認距離に応じてＱ1〜Ｑ4の画質が設定されており、Ｑ1からＱ4にかけて画像の画質が高精細となっている。
【００７０】
さらに、ＲＯＭ７は、吐出量設定テーブル記憶手段を構成しており、画像の画質と記録ヘッド２１１からの記録媒体Ｓにおける単位面積当たりのインク吐出量とが対応付けられた吐出量設定テーブルＴ２（図６参照）を記憶している。この吐出量設定テーブルＴ２は、例えば、高精細な画質ほどインク吐出量が多くなるように設定されている。
また、ＲＯＭ７は、露光量設定テーブル記憶手段を構成しており、画像の画質と紫外線光源２１２から照射される紫外線の露光量とが対応付けられた露光量設定テーブルＴ３を記憶している。この露光量設定テーブルＴ３は、例えば、高精細な画質ほど露光量が多くなるように設定されている。
加えて、ＲＯＭ７は、搬送速度設定テーブル記憶手段を構成しており、画像の画質と搬送機構１による記録媒体Ｓの搬送速度とが対応付けられた搬送速度設定テーブルＴ４を記憶している。この搬送速度設定テーブルＴ４は、例えば、高精細な画質ほど搬送速度が遅くなるように設定されている。
【００７１】
ＣＰＵ８は、ＲＯＭ７に記憶されているインクジェット記録装置１００としての各種機能に関る各種のアプリケーションプログラムを読み出してＲＡＭ６内の作業領域に展開し、当該プログラムに従って当該インクジェット記録装置１００を統括的に制御する。
具体的には、ＣＰＵ８は、画質設定手段として、画質設定プログラム７ａに従って、ＲＦＩＤリーダにより読み取られた面積データｄ２及び視認距離データｄ３に基づいて、画像記録動作部を構成する搬送機構１、記録ヘッド２１１、紫外線光源２１２による画像記録動作に従って記録される画像の画質を設定する。より具体的には、ＣＰＵ８は、面積データｄ２及び視認距離データｄ３に基づいて、ＲＯＭ７に記憶されている画質設定テーブルＴ１から画像の画質を取得して設定するようになっている。
【００７２】
さらに、ＣＰＵ８は、画質調整条件設定手段として、画質調整条件設定プログラム７ｂに従って、設定された画像の画質に基づいて、当該画質の調整に係る画質調整条件を設定する。具体的には、ＣＰＵ８は、例えば、ＲＯＭ７に記憶されている吐出量設定テーブルＴ２に基づいて、設定された画像の画質に対応する画質調整条件としてのインク吐出量を取得して設定するようになっている。また、ＣＰＵ８は、例えば、ＲＯＭ７に記憶されている露光量設定テーブルＴ３に基づいて、設定された画像の画質に対応する画質調整条件としての露光量を取得して設定するようになっている。さらに、ＣＰＵ８は、例えば、ＲＯＭ７に記憶されている搬送速度設定テーブルＴ４に基づいて、設定された画像の画質に対応する画質調整条件としての搬送速度を取得して設定するようになっている。
このとき、ＣＰＵ８は、例えば所定の演算プログラムを実行することにより、ＲＦＩＤリーダ１１７によりＩＣタグ１１６読み取られた媒体関連データｄ１に基づいて、画質調整条件を補正（設定）する。具体的には、ＣＰＵ８は、媒体関連データｄ１に係る所定の補正係数をＲＯＭ７等から取得して、取得した補正係数に基づいて、画質調整条件としてのインク吐出量、露光量及び搬送速度の補正を行うようになっている。
【００７３】
また、ＣＰＵ８は、動作制御手段として、搬送機構１、記録ヘッド２１１、紫外線光源２１２を制御して、記録媒体Ｓに対して画像を記録する画像記録動作を実行させる。この画像記録動作において、ＣＰＵ８は、吐出動作制御手段として、吐出動作制御プログラム７ｃに従って、設定されたインク吐出量に基づいて、記録ヘッド２１１によるインク吐出動作を制御するようになっている。また、ＣＰＵ８は、照射動作制御手段として、照射動作制御プログラム７ｄに従って、設定された露光量に基づいて、紫外線光源２１２による紫外線の照射動作を制御するようになっている。さらに、ＣＰＵ８は、搬送動作制御手段として、搬送動作制御プログラム７ｅに従って、設定された搬送速度に基づいて、搬送機構１による記録媒体Ｓの搬送動作を制御するようになっている。
【００７４】
次に、ＣＰＵ８の制御下におけるインクジェット記録装置１００による画像記録動作について説明する。
ここで、記録媒体供給部１１には、それぞれ対応する幅の記録媒体Ｓが紙管Ｒに巻かれた記録媒体保持部１１２が配設されており、また、記録媒体保持部１４１が記録媒体巻取部１４に設置されているものとする。また、記録媒体Ｓがいずれか選択されると共に、記録媒体巻取部１４の紙管Ｒにまで繰り出されて、記録媒体Ｓの先端部が粘着テープにより貼着され、巻き取り可能状態にあるものとする。
【００７５】
先ず、情報入力装置５にユーザによる操作入力部５１の所定の操作に基づいて、当該インクジェット記録装置１００により画像記録が行われて出力される画像記録物の面積と画像記録物の想定される視認距離とが入力される。ここで、入力された面積に関する面積データｄ２及び視認距離に関する視認距離データｄ３は、ＲＡＭ内の所定の格納領域に一旦格納される。
そして、ユーザによる所定の操作に基づいて、制御部５３は、所定のプログラムに従ってＲＦＩＤライタ５２を制御して、このＲＦＩＤライタ５２に対向配置されたＩＣタグ１１６に対して、ＲＡＭ内から面積データｄ２及び視認距離データｄ３を読み出して、ＲＦＩＤ方式により送信して書き込ませる。
【００７６】
次に、ＣＰＵ８は、所定のプログラムに従ってＲＦＩＤリーダ１１７を制御して、ＩＣタグ１１６に記憶されている面積データｄ２及び視認距離データｄ３、並びに、予め当該ＩＣタグ１１６に記憶されている媒体関連データｄ１を読み取らせる。ここで、読み取られた面積データｄ２、視認距離データｄ３及び媒体関連データｄ１は、ＲＡＭ６内の所定の格納領域に一旦格納される。
その後、ＣＰＵ８は、ＲＯＭ７から画質設定プログラム７ａを読み出してＲＡＭ６に展開し、この画質設定プログラム７ａに従って、ＲＡＭ６に格納された面積データｄ２及び視認距離データｄ３を読み出し、読み出された面積データｄ２及び視認距離データｄ３、並びに、当該インクジェット記録装置１００により記録される画像の画像データに基づいて、画像の画質を設定する。具体的には、ＣＰＵ８は、ＲＯＭ７に記憶されている画質設定テーブルＴ１に基づいて、面積データｄ２及び視認距離データｄ３に対応する画像の画質を取得して設定するようになっている。
【００７７】
次に、ＣＰＵ８は、ＲＯＭ７から画質調整条件設定プログラム７ｂを読み出してＲＡＭ６に展開し、この画質調整条件設定プログラム７ｂに従って、設定された画像の画質に基づいて、当該画質の調整に係る画質調整条件を設定する。具体的には、ＣＰＵ８は、例えば、ＲＯＭ７に記憶されている吐出量設定テーブルＴ２に基づいて、画像の画質に対応する記録ヘッド２１１からのインク吐出量を取得して設定し、また、ＲＯＭ７に記憶されている露光量設定テーブルＴ３に基づいて、画像の画質に対応する紫外線光源２１２による露光量を取得して設定し、ＲＯＭ７に記憶されている搬送速度設定テーブルＴ４に基づいて、画像の画質に対応する搬送機構１による記録媒体Ｓの搬送速度を取得して設定するようになっている。
このとき、ＣＰＵ８は、例えば所定の演算プログラムの実行に従って、ＲＡＭ６に格納された媒体関連データｄ１を読み出し、この媒体関連データｄ１に係る所定の補正係数をＲＯＭ７から取得して、取得した補正係数に基づいて、インク吐出量、露光量及び搬送速度の補正を行う。
【００７８】
その後、ＣＰＵ８は、搬送機構１、記録ヘッド２１１及び紫外線光源２１２を制御して、記録媒体Ｓに対して画像を記録する画像記録動作を実行させる。具体的には、ＣＰＵ８は、ＲＯＭ７から吐出動作制御プログラム７ｃを読み出してＲＡＭ６に展開し、この吐出動作制御プログラム７ｃに従って、設定されたインク吐出量に基づいて、記録ヘッド２１１によるインク吐出動作を制御し、また、ＲＯＭ７から照射動作制御プログラム７ｄを読み出してＲＡＭ６に展開し、この照射動作制御プログラム７ｄに従って、設定された露光量に基づいて、紫外線光源２１２による紫外線の照射動作を制御し、さらに、ＲＯＭ７から搬送動作制御プログラム７ｅを読み出してＲＡＭ６に展開し、この搬送動作制御プログラム７ｅに従って、設定された搬送速度に基づいて、搬送機構１による記録媒体Ｓの搬送動作を制御するようになっている。
【００７９】
以上のように、本実施の形態のインクジェット記録装置１００によれば、情報入力装置５を介して入力された画像の面積データｄ２及び視認距離データｄ３に基づいて、画像記録動作部により記録される画像の画質を画質設定テーブルＴ１を利用して適正に設定することができ、設定された画像の画質に基づいて、当該画質の調整に係る画質調整条件を設定することができる。具体的には、画質調整条件として、記録ヘッド２１１からの記録媒体Ｓにおける単位面積当たりのインク吐出量を吐出量設定テーブルＴ２を利用して適正に設定し、また、紫外線光源２１２から照射される紫外線の露光量を露光量設定テーブルＴ３を利用して適正に設定し、さらに、搬送機構１による記録媒体Ｓの搬送速度を搬送速度設定テーブルＴ４を利用して適正に設定することができる。
このように、所定の画像を得る場合に、視認距離と画像の面積とに基づいて、適正な画質調整条件の設定を短時間で行うことができ、これにより、設定された画質調整条件に基づいて画像記録動作を適正に行うことができる。
【００８０】
また、情報入力装置５に備わるＲＦＩＤライタ５２から送信された面積データｄ２及び視認距離データｄ３がＩＣタグ１１６に受信され書き込まれるので、面積データｄ２及び視認距離データｄ３の入力を離れたところから無線で行うことができる。そして、面積データｄ２及び視認距離データｄ３がＲＦＩＤリーダ１１７によりＩＣタグ１１６から読み取られて、読み取られた面積データｄ２及び視認距離データｄ３に基づいて、ＣＰＵ８により画像の画質が設定されるので、画像の画質の設定作業をより簡便なものとすることができる。
さらに、ＣＰＵ８は、ＩＣタグ１１６から入力された媒体関連データｄ１に基づいて、インク吐出量、露光量及び搬送速度の補正が行われるので、記録媒体Ｓの記録ヘッド２１１、紫外線光源２１２、搬送機構１による画像記録動作に関連する情報を考慮して所定の画質調整条件を設定することができる。特に、媒体関連データｄ１が、記録媒体Ｓの物性に係る媒体物性データの場合、記録媒体Ｓの物性を考慮して画質調整条件の設定を適正に行うことができる。
【００８１】
なお、本発明は、上記実施の形態に限定されることなく、本発明の趣旨を逸脱しない範囲において、種々の改良並びに設計の変更を行っても良い。
例えば、入力された面積データｄ２及び視認距離データｄ３をＲＦＩＤリーダ１１７により読み取って、ＣＰＵ８が、画像の画質を設定するような構成としたが、ＩＣタグ１１６を構成するＣＰＵ等の中央演算処理装置による所定の演算プログラム等の実行に従って、画像の画質を設定するような構成であっても良い。さらに、設定された画像の画質に従って、ＩＣタグ１１６内にて所定の画質調整条件が設定されるような構成であっても良い。
また、上記実施の形態では、情報入力手段として、ＲＦＩＤライタ５２を例示したが、これに限られるものではなく、面積データｄ２及び視認距離データｄ３を入力可能なものであれば如何なるものであっても良く、例えば、ＣＰＵ８等に接続され、ユーザによる操作に基づいて所定の情報を入力するキーボード等の操作入力部であっても良い。
【００８２】
また、上記実施の形態では、画質設定テーブルＴ１を用いて画質を設定するような構成としたが、これに限られるものではなく、例えば、ＣＰＵ８が、画質設定手段として、所定の演算プログラムを実行することに基づいて、画質を算出して設定するような構成としても良い。さらに、吐出量設定テーブルＴ２を用いてインク吐出量を設定し、露光量設定テーブルＴ３を用いて紫外線の露光量を設定し、搬送速度設定テーブルＴ４を用いて搬送速度を設定するような構成としたが、これに限られるものではなく、例えば、ＣＰＵ８が、画質調整条件設定手段として、所定の演算プログラムを実行することに基づいて、画質調整条件としてのインク吐出量、露光量、搬送速度を算出して設定するような構成としても良い。
加えて、画質調整条件は、インク吐出量、紫外線の露光量、記録媒体Ｓの搬送速度に限られるものではなく、画像の画質の調整に係る各種の条件であれば如何なるものであっても良い。
【００８３】
また、媒体関連データｄ１を予めＩＣタグ１１６に記憶させておくような構成としたが、これに限られるものではなく、情報入力手段としての所定の装置等を介して入力するような構成であっても良い。さらに、媒体関連データｄ１としては、媒体物性データを例示したが、これに限られるものではなく、記録媒体Ｓの記録ヘッド２１１、紫外線光源２１２、搬送機構１等の画像記録動作部による画像の記録に関連する情報であれば如何なるものであっても良い。
加えて、ＩＣタグ１１６を記録媒体保持部１１２に配設し、ＲＦＩＤリーダ１１７をＩＣタグ１１６に対向させて配設するような構成としたが、これに限られるものではなく、これらの配設場所は如何なる場所であっても良い。
【図面の簡単な説明】
【００８４】
【図１】本発明を適用した好適な一実施の形態として例示するインクジェット記録装置の概略構成を示す側面図である。
【図２】図１のインクジェット記録装置の概略構成を示す正面図である。
【図３】図１のインクジェット記録装置の要部構成を示す機能ブロック図である。
【図４】図１のインクジェット記録装置に備わる情報入力装置の要部構成を示す機能ブロック図である。
【図５】図１のインクジェット記録装置による画質設定処理に係る画質設定テーブルを模式的に示した図である。
【図６】図１のインクジェット記録装置による画質調整条件設定処理に係る吐出量設定テーブルを模式的に示した図である。
【図７】図１のインクジェット記録装置による画質調整条件設定処理に係る露光量設定テーブルを模式的に示した図である。
【図８】図１のインクジェット記録装置による画質調整条件設定処理に係る搬送速度設定テーブルを模式的に示した図である。
【符号の説明】
【００８５】
１００  インクジェット記録装置
１      搬送機構（画像記録動作部）
１１６  ＩＣタグ（受信手段）
ｄ１    媒体関連データ
ｄ２    面積データ
ｄ３    視認距離データ
１１７  ＲＦＩＤリーダ（情報読取手段、媒体関連情報入力手段）
２１１  記録ヘッド（画像記録動作部）
２１２  紫外線光源（紫外線照射手段、画像記録動作部）
５      情報入力装置（情報入力手段）
５２    ＲＦＩＤライタ（情報送信手段）
７      ＲＯＭ（画質設定テーブル記憶手段、吐出量設定テーブル記憶手段、露光量設定テーブル記憶手段、搬送速度設定テーブル記憶手段）
Ｔ１    画質設定テーブル
Ｔ２    吐出量設定テーブル
Ｔ３    露光量設定テーブル
Ｔ４    搬送速度設定テーブル
８      ＣＰＵ（画質設定手段、画質調整条件設定手段、動作制御手段、吐出動作制御手段、照射動作制御手段、搬送動作制御手段）
【図１】
2005119131.tif 000003
【図２】
2005119131.tif 000004
【図３】
2005119131.tif 000005
【図４】
2005119131.tif 000006
【図５】
2005119131.tif 000007
【図６】
2005119131.tif 000008
【図７】
2005119131.tif 000009
【図８】
2005119131.tif 000010